(57)【要約】【課題】  低品質の映像表示のためにユーザーが不快に感じるのを極力防止することができ、しかも電力消費を低減することができるディジタル放送受信装置を提供する。【解決手段】  ＣＰＵ１１は、取得できたピクチャが正常なピクチャであるかどうかを判断する（ステップＳ１）。正常なピクチャであれば通常のデコード処理が実行される（ステップＳ２）。一方、正常なピクチャでなければ、ＣＰＵ１１は、推定不快値が所定の閾値内かどうかを判断し（ステップＳ３）、前記閾値内で且つユーザーによるデコード停止の操作がなければ（ステップＳ４でＮＯ）、暫定的なデコードを実行することになる（ステップＳ２）。推定不快値が所定の閾値を超えた場合（ステップＳ３でＮＯ）、デコードを一時的に停止する（ステップＳ６）。【選択図】        図２
2006339872.tif 000002
【特許請求の範囲】
【請求項１】
受信したディジタル放送波を復調することによって独立フレーム及び付随フレームを生成し、これらフレームをデコードして映像データを生成するディジタル放送受信装置において、適正なフレームが取得できない場合でも暫定的なデコードを継続する一方、この暫定的なデコードを開始してからの時間経過に基づく推定不快値が所定の値となったときには、デコードを一時的に停止するように構成されたことを特徴とするディジタル放送受信装置。
【請求項２】
請求項１に記載のディジタル放送受信装置において、現在時刻から前回取得した独立フレームの取得時刻を減算して前記時間経過を判断することを特徴とするディジタル放送受信装置。
【請求項３】
請求項１に記載のディジタル放送受信装置において、現在時刻から前回取得した付随フレームの取得時刻を減算して前記経過時間を判断することを特徴とするディジタル放送受信装置。
【請求項４】
請求項１乃至請求項３のいずれかに記載のディジタル放送受信装置において、前記ディジタル放送を受信するチューナから与えられる情報に基づいて放送受信が可能になったと判断したときに前記一時的に停止していたデコードを再開するように構成されたことを特徴とするディジタル放送受信装置。
【請求項５】
請求項１乃至請求項４のいずれかに記載のディジタル放送受信装置において、前記推定不快値は前記暫定的なデコードを開始してからの時間が経過するほど高い値を示す曲線式によって得られることを特徴とするディジタル放送受信装置。
【請求項６】
請求項１乃至請求項５のいずれかに記載のディジタル放送受信装置において、地上ディジタル放送を受信する携帯型又は移動型として構成されたことを特徴とするディジタル放送受信装置。
【発明の詳細な説明】
【技術分野】
【０００１】
この発明は、ディジタル放送を受信するディジタル放送受信装置に関する。
【背景技術】
【０００２】
映像データの圧縮符号化に例えばＭＰＥＧ等を採用したディジタル放送システムにおいて、受信状態の悪化が判定されたときに、受信状態が回復するまでの期間は、図４に示すように、過去に取得しておいた復号化データを利用して暫定的なデコードを行う技術がある（特許文献１、特許文献２参照）。
【特許文献１】特開平１０−３３６６７４号公報
【特許文献２】特開２００４−１１２６５４号公報
【発明の開示】
【発明が解決しようとする課題】
【０００３】
しかしながら、このような従来技術では、受信映像の表示は継続されるものの表示映像の品質がとても低くなる場合があり、新たなＩピクチャをなかなか取得できないと見るに耐えない映像が表示され、ユーザーに不快感を与えてしまうことがある。そして、このような低品質の映像表示のためにデコーダを稼働していることになる。
【０００４】
この発明は、上記の事情に鑑み、低品質の映像表示のためにユーザーが不快に感じるのを極力防止することができ、しかも電力消費を低減することができるディジタル放送受信装置を提供することを目的とする。
【課題を解決するための手段】
【０００５】
この発明のディジタル放送受信装置は、上記課題を解決するために、受信したディジタル放送波を復調することによって独立フレーム及び付随フレームを生成し、これらフレームをデコードして映像データを生成するディジタル放送受信装置において、適正なフレームが取得できない場合でも暫定的なデコードを継続する一方、この暫定的なデコードを開始してからの時間経過に基づく推定不快値が所定の値となったときには、デコードを一時的に停止するように構成されたことを特徴とする。
【０００６】
上記の構成であれば、前記推定不快値が所定の値となったときにはデコードを停止するので、低品質の映像表示のためにユーザーが不快に感じるのを極力防止することができ、しかも電力消費を低減することができる。
【０００７】
上記構成のディジタル放送受信装置において、現在時刻から前回取得した独立フレームの取得時刻を減算して前記時間経過を判断することとしてもよい。或いは、現在時刻から前回取得した付随フレームの取得時刻を減算して前記経過時間を判断することとしてもよい。
【０００８】
これら構成のディジタル放送受信装置において、前記ディジタル放送を受信するチューナから与えられる情報に基づいて放送受信が可能になったと判断したときに前記一時的に停止していたデコードを再開するように構成されていてもよい。
【０００９】
これら構成のディジタル放送受信装置において、前記推定不快値は前記暫定的なデコードを開始してからの時間が経過するほど高い値を示す曲線式によって得られることとしてもよい。
【００１０】
これら構成のディジタル放送受信装置は、地上ディジタル放送を受信する携帯型又は移動型として構成されていてもよい。
【発明の効果】
【００１１】
この発明によれば、低品質の映像表示のためにユーザーが不快に感じるのを極力防止することができ、しかも電力消費を低減することができるという効果を奏する。
【発明を実施するための最良の形態】
【００１２】
以下、この発明の実施形態のディジタル放送受信装置を図１乃至図３に基づいて説明する。
【００１３】
チューナ１は、受信した高周波ディジタル変調信号のうちから特定周波数の信号を取り出す。また、チューナ１は、復調回路、逆インタリーブ回路、誤り訂正回路などを備えることにより、選択したディジタル変調信号を復調してトランスポートストリームを出力する。
【００１４】
デマルチプレクサ（ＤＥＭＵＸ）２は、チューナ１から受け取ったトランスポートストリームを、ビデオストリームやオーディオストリームなどのストリームと、セクションデータとに分離する。
【００１５】
音声デコーダ３は、デマルチプレクサ２から出力された符号化信号を復号し更にＤ／Ａ変換して音声信号を生成し、この音声信号を図示しない音声出力部（スピーカ等）に供給する。映像デコーダ４は、入力された符号化信号を復号して量子化係数や動きベクトルを求め、逆ＤＣＴ変換や動きベクトルに基づく動き補償制御などを行って映像データを生成し、この映像データをフレームバッファ５に供給する。このフレームバッファ５には最新の１フレーム分の映像データが保持される。描画処理部６は前記フレームバッファ５から映像データを読み出し、画像の大きさや解像度などを調整したり、ＯＳＤ（オンスクリーンディスプレイ）映像と受信映像との合成などを行う。描画処理部６が出力する映像信号によって図示しないモニタ（例えば液晶表示パネル）に映像が表示される。
【００１６】
Ｉ／Ｏ回路７には図示しない操作ボタンなどが接続される。通信Ｉ／Ｆ１２には図示しない電話機能部（携帯機器として構成されるのであれば携帯電話機能部）やＬＡＮ機能部（携帯機器として構成されるのであれば無線ＬＡＮ機能部）などが接続される。ＲＯＭ９にはＣＰＵ１１のための動作プログラムなどが格納される。
【００１７】
また、例えば、ＲＡＭ１０には受信不能時のデコードのための映像データが格納されることとしている（例えば、前記最新の１フレーム分の映像データを格納する）。ＣＰＵ１１は、受信不能時に、ＲＡＭ１０に格納されている映像データを読み出し、これをＩＤＲフレーム（後で説明する）として映像デコーダ４に与える。
【００１８】
ところで、地上ディジタル放送では、放送信号は、先述したように、トランスポート・ストリーム・パケット（Ｔｒａｎｓｐｏｒｔ  Ｓｔｒｅａｍ  Ｐａｃｋｅｔ）と呼ばれる固定長のデータからなるトランスポート・ストリーム（Ｔｒａｎｓｐｏｒｔ  Ｓｔｒｅａｍ）で構成されている。各ＴＳパケットには映像データ、音声データなどの各データによってＰＩＤが割り振られており、ＰＩＤによってデマルチプレクサ２は各データを分離する。
【００１９】
地上波ディジタル放送の携帯電話用放送においては、映像符号化方式としてＩＥＥＥのＨ．２６４が採用される。Ｈ．２６４に含まれるフレームには、ＩＤＲフレーム（独立フレーム）とｎｏｎ＿ＩＤＲフレーム（付随フレーム）があり、ＩＤＲフレームからデコードすると正常にデコードができることが保証されており、ＩＤＲフレームを確実にデコードすることが必要になる。
【００２０】
ここで、受信電波状況が悪化したような場合、新たなＩＤＲフレームを取得できないと、従来項でも説明したが、見るに耐えない映像が表示されてしまうことがある。この発明の要旨は、受信電波状況が悪化したような場合（正常なピクチャを取得できない場合）、従来項で挙げた技術、すなわち、良好な映像を極力提示しようとする処理（暫定的なデコード）を行う一方で、この暫定的なデコードを開始してからユーザーが感じることになる不快値（低品質の映像を見続けることによる不快感）を推定し、この推定不快値が所定値になったときには、図３に示すように、デコードを停止するというものである。
【００２１】
前記暫定的なデコードによってユーザーが不快になるのを防止するための処理を図２のフローチャートに基づいて以下に説明していく。ＣＰＵ１１は、取得できたピクチャが正常なピクチャであるかどうかを判断する（ステップＳ１）。かかる判断は、チューナ１からの誤り訂正に関する情報や映像デコーダ４から通知される情報などに基づいて判断することができる。正常なピクチャであれば通常のデコード処理が実行される（ステップＳ２）。一方、正常なピクチャでなければ、ＣＰＵ１１は、推定不快値が所定の閾値内かどうかを判断し（ステップＳ３）、前記閾値内で且つユーザーによるデコード停止の操作がなければ（ステップＳ４でＮＯ）、暫定的なデコードを実行することになる（ステップＳ２）。デコード停止操作が行われたときにはデコードを停止する（ステップＳ５）。
【００２２】
推定不快値が所定の閾値を超えた場合（ステップＳ３でＮＯ）、デコードを一時的に停止する（ステップＳ６）。例えば、デコーダ３・４を構成しているＬＳＩにデコードの開始／停止制御ポートが存在する場合には、当該ポートに所定の電圧を印加（或いは非印加）することでデコードは一時的に停止される。デコードの一時停止によってモニタへの映像出力は停止される。ＣＰＵ１１は、デコードの一時停止を実行したときには、チューナ１からの受信電波の電界強度、Ｃ／Ｎ比、誤り訂正等に関する情報に基づいて、放送波受信可能状態の回復を判断する（ステップＳ７）。そして、放送波受信可能状態となるまでデコードの一時停止を継続し、放送波受信可能状態となったらデマルチプレクサ２からピクチャを取得し、デコードを再開する（ステップＳ１，ステップＳ２）。
【００２３】
次に、推定不快値について説明していく。例えば、不快関数Ｆ（ｔ）を以下のごとく定義し、推定不快値をＦ（Ｔ）とし、定数ｋを閾値とする。
【００２４】
Ｆ（ｔ）＝５０・（１−ｃｏｓ（θ・ｔ））
ただし、
０＜θ＜π／（２・ｔ）
Ｔ＝（現在の時刻）−（最新の独立フレームを取得した時刻）
Ｆ（Ｔ）＞ｋのときデコード一時停止
【００２５】
不快関数Ｆ（ｔ）はｔが大きくなるほど（暫定的なデコードを開始してから時間が経過するほど）大きな値となる曲線式である。上述のθ及びｋは、この発明が使用される装置の状況に応じて変更してもよい。例えば、当該ディジタル放送受信装置を携帯端末として構成する場合は、スペックがそれほど期待できないと考えられるので、θを大きくｋを小さく設定する。上述の三角関数を用いた式は単純な四則演算をベースとした式なので、端末にかかる負荷は小さい。逆に、当該ディジタル放送受信装置を据え置き装置として構成する場合は、スペックが期待できると考えられるので、θを小さくｋを大きく設定する。なお、スペックに基づいて前記θ及びｋを定めることで、Ｆ（Ｔ）＞ｋとなるときのＴ′が求まることになる。従って、暫定的なデコードを開始してからの経過時間Ｔが前記Ｔ′を超えたかどうかを単に判断することでも、推定不快値が所定の値となったかどうかの判断を行うことができる。前記θやｋが可変であるときには、ディジタル放送受信装置は上記式を持つ必要がある。勿論、式ではなく、テーブルを用いてもよい。
【００２６】
また、上記の例では、前記Ｔの算出において、最新の独立フレームを取得した時刻を用いたが、これに限らない。最新の付随フレームを取得した時刻を用いて前記Ｔを算出してもよい。また、不快関数は前記三角関数を用いた式に限らない。他の一つ又は複数の関数を用いて不快曲線を設定してもよい。
【００２７】
また、ディジタル放送受信装置はＴＶ機能付き携帯電話として構成されるものに限らず、携帯型或いは移動型のディジタル放送受信装置として構成してもよい。また、据え置き型の地上ディジタル放送受信装置としてもよい。
【図面の簡単な説明】
【００２８】
【図１】この発明の実施形態のディジタル放送受信装置を示したブロック図である。
【図２】処理内容を示したフローチャートである。
【図３】デコード停止の説明図である。
【図４】暫定デコードの説明図である。
【符号の説明】
【００２９】
１    チューナ
２    デマルチプレクサ
４    映像デコーダ
６    描画処理部
１０  ＲＡＭ
１１  ＣＰＵ
【図１】
2006339872.tif 000003
【図２】
2006339872.tif 000004
【図３】
2006339872.tif 000005
【図４】
2006339872.tif 000006